(57)【特許請求の範囲】
【請求項１】
筐体と、
棚板上に回動自在に支持される鍵を複数並設した鍵盤と、
前記筐体内部の前方側に配置され、前記鍵の動作に応じて打弦する打弦機構と、
前記鍵盤の上方側において前記鍵盤を構成する鍵が並設される方向に延在し、前記筐体に対して使用位置と収納位置との間で回動可能に支持される譜面立てとを備えるピアノにおいて、
前記譜面立てに対して前記鍵の並設方向のいずれか側に隣り合う位置に配置される表示装置であって、前記鍵盤の上方側において当該並設方向に対して前記筐体の範囲内に表示画面が位置する表示装置と、
ユーザに操作される操作パネルを有し、ユーザによる前記操作パネルの操作に応じて、データを入力するデータ入力手段と、
前記データ入力手段から入力されるデータに基づいて、前記表示装置に表示すべき内容に応じた映像信号を送出する映像信号処理手段と
を具備し、
前記データ入力手段は、前記操作パネルが露出するように前記棚板内部に埋め込まれている
ことを特徴とするピアノ。
【請求項２】
筐体と、
棚板上に回動自在に支持される鍵を複数並設した鍵盤と、
前記筐体内部の前方側に配置され、前記鍵の動作に応じて打弦する打弦機構と、
前記鍵盤の上方側において前記鍵盤を構成する鍵が並設される方向に延在し、前記筐体に対して使用位置と収納位置との間で回動可能に支持される譜面立てとを備えるピアノにおいて、
前記譜面立てに対して前記鍵の並設方向のいずれか側に隣り合う位置に配置される表示装置であって、前記鍵盤の上方側において当該並設方向に対して前記筐体の範囲内に表示画面が位置する表示装置と、
ユーザに操作される操作パネルを有し、ユーザによる前記操作パネルの操作に応じて、データを入力するデータ入力手段と、
前記データ入力手段から入力されるデータに基づいて、前記表示装置に表示すべき内容に応じた映像信号を送出する映像信号処理手段と
を具備し、
前記データ入力手段は、前記棚板内部と、前記棚板から突出した位置との間で移動可能になされている
ことを特徴とするピアノ。
【請求項３】
前記映像信号処理手段からの映像信号を受け取って前記表示装置の表示内容を制御するための制御信号を前記表示装置に送出する制御基板をさらに具備し、
前記筐体は、前記打弦機構が配置された部分の上方側に筐体本体に対して開閉可能に設けられるカバー部を有しており、
前記譜面立ては、前記カバー部の上面に回動自在に支持されており、
前記カバー部の下面には、前記制御基板が設けられている
ことを特徴とする請求項１または２に記載のピアノ。
【請求項４】
前記棚板の上面には、前記データ入力手段と前記映像処理手段を接続する信号線が挿通させられる溝が形成されている
ことを特徴とする請求項１ないし３のいずれかに記載のピアノ。
【発明の詳細な説明】
【０００１】
【発明の属する技術分野】
本発明は、表示画面を有するピアノに関する。
【０００２】
【従来の技術】
従来、グランドピアノでは、液晶表示画面などを搭載したものがあり、この液晶表示画面に楽譜などを表示することができるようになっている。このようなグランドピアノでは、従来、譜面立てとして使用されていた部材に表示画面を埋め込んだものがあり、このようにすることにより特別な設置スペースを設けることなく表示画面の搭載を可能とするとともに、演奏者が見やすい位置に表示画面を配置できるいった効果も得られる。
【０００３】
【発明が解決しようとする課題】
しかし、上述したような表示画面を搭載したグランドピアノでは、譜面立ての代わりに表示画面が設けられているため、譜面を譜面立てに載置して演奏することができない。上述した表示画面の上に譜面を載置することも考えられるが、この場合表示画面が損傷してしまうことも考えられる。また、譜面を載置しつつ、表示画面になんらかの表示を行わせて、それを使用者が参照することは不可能である。
【０００４】
本発明は、上記の事情を考慮してなされたものであり、通常の譜面立てを有するピアノの機能を損なうことなく、視認性がよい場所に表示画面を配置することができるピアノを提供することを目的とする。
【０００５】
【課題を解決するための手段】
上記課題を解決するため、本発明の請求項１に記載のピアノは、筐体と、
棚板上に回動自在に支持される鍵を複数並設した鍵盤と、
前記筐体内部の前方側に配置され、前記鍵の動作に応じて打弦する打弦機構と、
前記鍵盤の上方側において前記鍵盤を構成する鍵が並設される方向に延在し、前記筐体に対して使用位置と収納位置との間で回動可能に支持される譜面立てとを備えるピアノにおいて、
前記譜面立てに対して前記鍵の並設方向のいずれか側に隣り合う位置に配置される表示装置であって、前記鍵盤の上方側において当該並設方向に対して前記筐体の範囲内に表示画面が位置する表示装置を有する表示装置と、
ユーザに操作される操作パネルを有し、ユーザによる前記操作パネルの操作に応じて、データを入力するデータ入力手段と、
前記データ入力手段から入力されるデータに基づいて、前記表示装置に表示すべき内容に応じた映像信号を送出する映像信号処理手段と
を具備し、
前記データ入力手段は、前記操作パネルが露出するように前記棚板内部に埋め込まれている
ことを特徴としている。
【０００９】
また、請求項２に記載のピアノは、筐体と、
棚板上に回動自在に支持される鍵を複数並設した鍵盤と、
前記筐体内部の前方側に配置され、前記鍵の動作に応じて打弦する打弦機構と、
前記鍵盤の上方側において前記鍵盤を構成する鍵が並設される方向に延在し、前記筐体に対して使用位置と収納位置との間で回動可能に支持される譜面立てとを備えるピアノにおいて、
前記譜面立てに対して前記鍵の並設方向のいずれか側に隣り合う位置に配置される表示装置であって、前記鍵盤の上方側において当該並設方向に対して前記筐体の範囲内に表示画面が位置する表示装置と、
ユーザに操作される操作パネルを有し、ユーザによる前記操作パネルの操作に応じて、データを入力するデータ入力手段と、
前記データ入力手段から入力されるデータに基づいて、前記表示装置に表示すべき内容に応じた映像信号を送出する映像信号処理手段と
を具備し、
前記データ入力手段は、前記棚板内部と、前記棚板から突出した位置との間で移動可能になされている
ことを特徴としている。
【００１０】
また、請求項３に記載のピアノは、請求項１または２に記載のピアノにおいて、
前記映像信号処理手段からの映像信号を受け取って前記表示装置の表示内容を制御するための制御信号を前記表示装置に送出する制御基板をさらに具備し、
前記筐体は、前記打弦機構が配置された部分の上方側に筐体本体に対して開閉可能に設けられるカバー部を有しており、
前記譜面立ては、前記カバー部の上面に回動自在に支持されており、
前記カバー部の下面には、前記制御基板が設けられていることを特徴としている。
【００１１】
また、請求項４に記載のピアノは、請求項１ないし３のいずれかに記載のピアノにおいて、
前記棚板の上面には、前記データ入力手段と前記映像処理手段を接続する信号線が挿通させられる溝が形成されていることを特徴としている。
【００１２】
【発明の実施の形態】
以下、図面を参照して本発明の実施形態について説明する。
まず、図１は本発明の一実施形態に係るグランドピアノの鍵盤付近を示す側断面図である。本実施形態に係るグランドピアノのアクション機構や共鳴機構などは、従来の一般的なグランドピアノのアクション機構や共鳴機構と同様であるため、主要部のみ説明し、異なる箇所については詳述する。
【００１３】
図１に示すように、棚板２３１の上方には、筬２３３が載置されており、筬２３３の上方には、鍵２３４が支持されている。鍵２３４は、筬２３３に突設されたバランスピン２３５を介して回動自在になされており、演奏者が図における左側である前端部を押し下げて演奏するようになっている。このような鍵２３４が図の紙面垂直方向である左右方向に並設され、鍵盤２２１が構成されている。
【００１４】
筬２３３の上方には、鍵２３４と同数のハンマアクション機構２３６が併設されており、鍵２３４が回動すると、ハンマアクション機構２３６が作動し、そのハンマ２３７が図示せぬ弦を打弦して楽音を発生させるようになっている。
【００１５】
このハンマアクション機構２３６の奥側には、弦を押さえるダンパー機構２３８が設けられている。符号２３９は、鍵盤の全長に亘って延在するダンパレールである。このダンパレール２３９には、ダンパーレバーフレンジ２４０を介して、前後方向に延びるダンパーレバー２４１の一端が回動自在にピン結合されている。ダンパーレバー２４１の自由端部である前端部には、ダンパブロック２４２が回動自在に取り付けられ、このダンパブロック２４２には、上方に延びるダンパワイヤ２４３が取り付けられている。
【００１６】
このダンパワイヤ２４３の上方に、弦を上から押さえる図示せぬダンパが取り付けられている。ハンマアクション機構２３６によれば、回動された鍵２３４の後端部によりダンパーレバーフレンジ２４０が突き上げられ、ハンマ２３７が弦を打撃する直前に、ダンパが弦から上に離れるようになっている。これにより、押下されていない鍵２３４に対応する弦の共振が防がれる。
【００１７】
ここで、図２〜図５は、本実施形態に係るグランドピアノの外観を示す。これらの図に示すように、このグランドピアノは、上述したハンマアクション機構２３６やハンマアクション機構２３６等が内部に配置される外郭曲練り側板（筐体本体）２０を有している。外郭曲練り側板２０内部には、上述した各機構に加え、弦を張設する駒や、この駒を支持する共鳴板等が配置されており、これにより鍵２３４の押下操作により発生する楽音を共鳴させることができる。なお、これらの共鳴機構は、従来のグランドピアノと同様である。
【００１８】
外郭曲練り側板２０の一端部２０ａには、屋根後２１が回動自在に支持されている。この屋根後２１を回動させることにより、外郭曲練り側板２０の上部を開閉することができるようになっている。また、屋根後前部２１を開放状態で支持するための突上棒２３が設けられている。
【００１９】
また、外郭曲練り側板２０の前方側には、前部カバー２５が設けられている。前部カバー２５は、外郭曲練り側板２０の開放した上部における屋根後２１よりも前方側を覆うように設けられており、外郭曲練り側板２０の左右両端に支持された軸２６によって回動自在（図４中矢印方向）になされている。そして、図４中実線で示す閉じた位置と、図中一点鎖線で示す開放位置との間で移動可能になされている。
【００２０】
前部カバー２５の上面には、譜面立て４０と液晶表示装置４１が設けられ、譜面立て４０の前側に譜面立て４０に立てた譜面が滑り落ちないようにするための出っ張りまたは溝でなる滑り止め部４２が設けられている。
譜面立て４０は前部カバー２５の左右方向にわたって延在して配置され、前部カバー２５に対して回動自在に支持されている。
液晶表示装置４１は、譜面立て４０の演奏者側からみた右側に配置され、譜面立て４０と同様に前部カバー２５に対して回動自在に支持されている。
従って、譜面立て４０と液晶表示装置４１は、それぞれ前部カバー２５に対して図示のように立てられた位置（使用時の位置）と、前部カバー２５に対して沿って倒された位置（収納位置）との間で回動することができるようになっている。つまり、譜面立て４０と液晶表示装置４１は、それぞれ独立して使用位置や収納位置にセットできるようになっている。
これにより、液晶表示装置４１を使用する場合のみ、液晶表示装置４１を使用時の位置にすることにより、液晶表示装置４１を使用しない場合は、液晶表示装置４１を収納位置に回動させて、通常のグランドピアノとほぼ同様の外観で譜面立て４０を使用することができるようになっている。また、液晶表示装置４１と譜面立て４０の両方を使用時の位置にすれば、液晶表示装置４１の表示画面２２と、譜面立て４０に立てた譜面の両方を演奏者は見ることができる。
また、液晶表示装置４１と譜面立て４０の使用時の位置をそれぞれ独立して調整することができるので、演奏者は液晶表示装置４１と譜面立て４０をもっとも見やすい位置に調整することができる。
【００２１】
図６に示すように、このグランドピアノでは、前框２５１が通常のグランドピアノよりも高い位置まで形成されており、閉止時には、この前框２５１の上部にクッション材２５２を介して前部カバー２５の前端が配置されるようになっている。前部カバー２５の下面には、上記液晶表示装置４１の表示を制御するための制御信号を生成する制御回路が設けられた制御基板４５が配置されている。この制御基板４５と液晶表示装置４１が図示せぬ信号線により接続されており、制御基板４５から表示内容を制御する制御信号が液晶表示装置４１に供給されるようになっている。このように、制御基板４５を前部カバー２５の下面に設けることにより、液晶表示装置４１の構成部品を少なくすることができ、軽量化および薄型化が可能となる。
【００２２】
前部カバー２５は、外郭曲練り側板２０の開放した上部を覆うことができるので、埃などの外郭曲練り側板２０内部への侵入を防止することができる。一方、メンテナンス時等には、前部カバー２５を回動させるといった簡単な操作で開放状態とすることができ、前部カバー２５の下方に配置されるチューニングピンやハンマアクション機構などを容易に調整することができる。従来のグランドピアノでは、この前部カバー２５が覆う部分を屋根後２１に回動自在に設けられた屋根前が覆うようになっていた。このため、従来のグランドピアノの演奏時には、屋根前は開放した状態となっているが、このグランドピアノでは、演奏時にも前部カバー２５を閉じることができ、その下方に配置されるアクション機構にほこりなどが侵入することを低減できる。また、前部カバー２５は演奏時にも閉じることができるので、メトロノームなどのものを載置するスペースを従来のグランドピアノよりも大きくすることができる。また、従来のグランドピアノでは、屋根前と、譜面立て４０を支持するための譜面台を別に設ける必要があったが、このグランドピアノでは、この前部カバー２５が譜面立て４０と液晶表示装置４１を支持することができるので、部品数を削減することができる。
【００２３】
なお、直線形状の前部カバー２５に代えて、図７に示すように、通常のグランドピアノと同様の高さを有する前框２５１を用い、断面が湾曲した形状の前部カバーを用いるようにしてもよい。
【００２４】
図１〜図３に示すように、棚板２３１の内部には操作コントローラ部（データ入力手段）５０が埋め込まれており、棚板２３１の表面にこの操作コントローラ部５０の操作パネル５１が露出するようになっている。操作パネル５１には、使用者が操作するボタンやつまみに加え、ＣＤ−ＲＯＭ（Compact Disc-Read Only Memory）などの記録媒体を挿入するための挿入口が設けられている。このように、操作コントローラ部５０を棚板２３１の内部に埋め込むことにより、通常のグランドピアノの外観とほとんど変わらなくすることができる。
【００２５】
ところで、液晶表示装置４１としてタッチパネル型のものを採用し、このタッチパネルで操作を行うことも考えられるが、本実施形態のように操作コントローラ部５０を棚板２３１に埋め込むようにすれば演奏者により近い位置にボタン等の操作部が配置されることになり、操作性が向上する。
【００２６】
次に、このグランドピアノに内蔵された液晶表示装置４１の表示画面２２の表示を制御する制御システムについて図８を用いて説明する。同図に示すように、この制御システムは、表示画面２２と、操作コントローラ部５０と、前部カバー２５の下面に配置される制御基板４５に設けられた制御回路５２と、データ処理部（映像信号処理手段）５３とを備えている。
【００２７】
操作コントローラ部５０は、使用者による操作パネル５１のボタン操作などに応じて入力データを生成し、データ処理部５３に送出する。また、操作コントローラ部５０は、ＣＤ−ＲＯＭやフロッピーディスクなどの記録媒体に記録されたデータを読み取り、データ処理部５３に送出する。
【００２８】
データ処理部５３は、ＣＰＵ（中央演算処理装置）などから構成され、データ処理部５３から入力されるデータに応じて各種処理を実行し、液晶表示装置４１の表示画面２２に表示すべき映像に応じた映像信号を制御回路５２に送出する。ここで、データ処理部５３は、小型化が可能であれば、上記操作コントローラ部５０と同様に棚板２３１内に埋め込むようにしてもよいし、様々な機能を備えるやや大型のもの、例えばパーソナルコンピュータ等であれば、このグランドピアノの外郭曲練り側板２０内部に配置するようにしてもよい。例えば、グランドピアノの２つの支柱の間に保持するようにすればよい。この場合、図９および図１０に示すように、棚板２３１の上面にピアノの前方から後方に伸びる溝９０を形成し、操作コントローラ部５０（一般のパーソナルコンピュータのキーボードなどでもよい）とデータ処理部５３とを接続するケーブル９１（信号線）を溝９０に挿通させるようにすればよい。このようにすると、操作コントローラ部５０とデータ処理部５３とを接続するケーブル９１が外部に露出しないので外観上好ましい。また、このグランドピアノが棚板２３１上の筬２３３を左右方向に移動させるシフトペダルを有している場合にも、ケーブル９１が棚板２３１の上面に露出しないのでこの移動動作の妨げとならない。
【００２９】
図８に戻り、制御回路５２は、データ処理部５３から入力される映像信号を受け取って、液晶表示装置４１を駆動する駆動回路に制御信号を送出し、これにより液晶表示装置４１が駆動され、表示画面２２に映像信号に応じた、例えば曲の楽音パラメータ等の表示がなされる。
なお、本実施形態においては、図示はしないが、ハンマーの打弦を阻止する消音機構、および鍵２３４、ハンマーまたは両者の動作を検出するセンサ、このセンサの検出結果に応じて楽音を電子的に発生する電子音源、鍵２３４を駆動するソレノイド等を有しており、通常演奏（演奏者の押鍵による演奏）、消音演奏（消音機構による打弦阻止）および自動演奏（ソレノイドによる鍵駆動）が可能となっている。そして、これらの構成も上記操作コントローラ部５０の操作に応じて制御されるようになっているとともに、上記液晶表示装置４１の表示画面２２にこれらの制御等に対応する情報が表示されるようになっている。
【００３０】
本実施形態に係るグランドピアノでは、譜面立て４０の横に液晶表示装置４１を配置したので、譜面立て４０の機能を損なうことがない。また、液晶表示装置４１は、鍵盤２２１の上方である演奏者の視線の真正面に配置されているので、視認性も優れている。
また、演奏者は、譜面立て４０に譜面を載置して使用するのと同時に、液晶表示装置４１の表示画面２２の表示を参照することができる。
【００３１】
また、譜面を載置しない場合には、譜面立て４０のみを収納位置に倒しておくことも可能であり、一方、液晶表示装置４１を使用しない場合には、液晶表示装置４１のみを収納位置に倒しておくといったことも可能である。例えば、図１１に示すように、２つのグランドピアノＧ１，Ｇ２を対向配置して２人の演奏者Ａ，Ｂが連弾するような場合には、互いの演奏者の顔が見えるように液晶表示装置４１のみを倒して収納するといったことが可能となる。仮に、ピアノのほぼ左右方向の全域にわたって延在する単一部材からなる譜面立てに液晶表示画面を設けた場合、譜面立てが左右方向に長く延在しているので、譜面の載置と表示画面の参照を同時に行える。しかし、譜面立てが左右方向に長いため、上述したような連弾時には互いの演奏者の顔が見えなくなってしまう。しかし、本実施形態に係るグランドピアノでは、上述したように液晶表示装置４１を倒せば、このような問題を解消することができる。また、上述した単一部材の液晶内蔵譜面立ての場合、液晶表示装置が故障すると、液晶表示装置を内蔵した譜面立てを取り外さなくてはならない場合もある。この間、譜面を載置する場所がなくなってしまうが、本実施形態に係るグランドピアノでは、液晶表示装置４１が故障して取り外しが必要となった場合にも、液晶表示装置４１のみを取り外せばよいので、上記のような問題は生じない。
【００３２】
なお、上述した実施形態では、液晶表示装置４１が演奏者側からみて譜面立て４０の右側に配置されるようになっていたが、これに限らず、譜面立て４０の左側に配置するようにしてもよい。
【００３３】
また、上述した実施形態では、操作コントローラ部５０を棚板２３１に埋め込むようにしていたが、図１２および図１３に示すように、操作コントローラ部５０を棚板２３１の内部と棚板２３１から突出した位置との間で移動可能に設けるようにしてもよい。図１２に示すように、この変形例における操作コントローラ部５０を格納した状態では、操作コントローラ部５０が棚板２３１に形成された格納孔１２０内に収納されている。
【００３４】
そして、図示せぬボタン等が押下されると、図１３に示すように、操作コントローラ部５０が棚板２３１の格納孔１２０内から手前側にスライドしてくるようになっている。これにより、ボタンやＣＤ−ＲＯＭ等の挿入口が配置された操作パネル５１が露出し、使用者が様々な操作を行うことができるようになっている。なお、上述した操作コントローラ部５０のスライド機構の駆動構成は、上述したボタンの押下等により自動的に行うものであってもよいし、手動で行うものであってもよい。
【００３５】
ここで、操作コントローラ部５０の表面部１３０を棚板２３１と同色に塗装すれば、操作コントローラ部５０格納時には、外観を通常のグランドピアノとほとんど変わらなくすることができる。一方、使用時には、操作コントローラ部５０を演奏者側にスライドさせることになる。従って、上述した実施形態のように操作パネル５１の上下方向の長さを棚板２３１の高さ以下に抑える必要がなくなり、より大きな面積の操作パネル５１を採用することができ、操作性を向上させることができる。
【００３６】
また、このように操作コントローラ部５０を棚板２３１から手前側にスライドさせる構造に限らず、例えば、棚板２３１下面から操作コントローラ部５０を下方側にスライドさせて、棚板２３１から突出して露出する位置に操作コントローラ部５０を移動させるようにしてもよい。
【００３７】
さらに、図１４に示すように、上述した実施形態における液晶表示装置４１または液晶表示装置４１および譜面立て４０をそれぞれ左右方向にスライド可能にしてもよい。
液晶表示装置４１と譜面立て４０のそれぞれを左右方向にスライド可能にする場合、液晶表示装置４１および譜面立て４０をそれぞれスライド支持するスライド支持機構４１ａ、４１ｂの位置を前後させて、液晶表示装置４１および譜面立て４０をそれぞれグランドピアノの左右ほぼ全域にわたってスライドできるようにすればよい。このようにすれば、液晶表示装置４１の表示内容を参照する場合には、液晶表示装置４１をこのピアノの中央部などの見やすい位置に移動させればよい。一方、譜面を使用する場合には、譜面立て４０をピアノの中央部などの見やすい位置に移動すればよい。
また、支持機構を液晶表示装置４１、譜面立て４０に対して共通に１つだけ設けるようにしてもよい。この場合、液晶表示装置４１と譜面立て４０を連結・離脱可能な連結部材等を使用すれば、液晶表示装置４１、譜面立て４０を連動させてスライドさせたり、各々独立してスライドさせたりすることができる。
【００３８】
また、図１５及び図１６に示すように、液晶表示装置４１については垂直および水平方向に首振り可能に支持してもよい。
この場合、図１７（ａ）、（ｂ）、（ｃ）に示すように、前部カバー２５の上面に支持部材３３５を設け、この支持部材３３５に液晶表示装置４１を支持し、この支持部材３３５を垂直方向を軸方向とする回動軸３３６により前部カバー２５に対して回動自在に支持するとともに、液晶表示装置４１を水平方向を軸方向とする回動軸３３７により支持部材３３５に対して回動自在に支持する方法などを適用することができる。
このようにすれば、演奏者は、液晶表示装置４１の水平および垂直方向の角度を調整することが可能となり、表示画面２２と譜面立て４０の向きを異ならせて、表示画面２２の視認性がよくなるように液晶表示装置４１の位置を細かく調整することが可能となる。
【００３９】
また、前部カバー２５は、上述した実施形態において説明したものに限らず、図１７に示すような形状のものを用いるようにしてもよい。同図に示すように、この前部カバー２５は断面Ｌ字状であり、カバー部２５ｂとその後端側から上方に屈曲した支持部２５ａとを有している。そして、この支持部２５ａが軸２６に軸支されている。ここで、図示のように前部カバー２５は屋根後２１よりも低い位置に配置されることになるため、カバー部２５ｂの上面に上下方向に伸びる支持部材３５５を設け、譜面立て４０と液晶表示装置４１を高い位置で支持するようにしている。これにより、上記実施形態と同様の高さで譜面立て４０と液晶表示装置４１を支持することが可能となり、視認性を損なうことがない。また、上述したように通常のグランドピアノの前框２５１は、屋根後２１よりも低い位置にあるが、このようなＬ字状の前部カバー２５を設けることにより、従来のグランドピアノの前框２５１の高さを変更するといった改良を行うことなく、前部カバー２５を通常のグランドピアノに後から取り付けることが可能となる。
【００４０】
上述した実施形態においては、液晶表示装置を使用する場合について述べたが、様々な表示装置を適用することができる。
また、上述した実施形態においては、本発明をグランドピアノに適用した場合について述べたが、アップライトピアノに適用することができる。
なお、液晶表示装置４１と譜面立て４０の形状は、それぞれ様々な形状を適用することができ、また滑り止め部４２がなくてもよい。
【００４１】
【発明の効果】
以上説明したように、本発明によれば、通常の譜面立てを有するピアノの機能を損なうことなく、視認性がよい場所に表示画面を配置することができる。
【図面の簡単な説明】
【図１】  本発明の一実施形態に係るグランドピアノのアクション機構の構成を示す側断面図である。
【図２】  前記グランドピアノの外観を示す斜視図である。
【図３】  前記グランドピアノの外観を示す正面図である。
【図４】  前記グランドピアノの外観を示す側面図である。
【図５】  前記グランドピアノの外観を示す平面図である。
【図６】  前記グランドピアノの構成要素であるカバー部付近の構成を示す側断面図である。
【図７】  前記カバー部の変形例を示す側断面図である。
【図８】  前記グランドピアノの制御システムの構成を示すブロック図である。
【図９】  前記制御システムの構成要素である操作コントローラ部の棚板への組み込み構造を示す側断面図である。
【図１０】  前記制御システムの構成要素である操作コントローラ部の棚板への組み込み構造を示す平断面図である。
【図１１】  ２つの前記グランドピアノで連弾する様子を示す図である。
【図１２】  前記グランドピアノの変形例における前記操作コントローラ部付近を示す斜視図である。
【図１３】  前記操作コントローラ部使用時における前記グランドピアノの変形例における前記操作コントローラ部付近を示す斜視図である。
【図１４】  前記グランドピアノの他の変形例の主要部を示す斜視図である。
【図１５】  前記グランドピアノのさらに他の変形例の主要部を示す斜視図である。
【図１６】  前記グランドピアノのさらに他の変形例を示す上面図である。
【図１７】  （ａ）は前記グランドピアノのさらに他の変形例の構成要素である前部カバー付近を示す側断面図であり、（ｂ）は前記前部カバー付近を示す正面図であり、（ｃ）は前記前部カバー付近を示す平面図である。
【図１８】  前記グランドピアノのさらにその他の変形例の構成要素である前部カバー付近を示す側断面図である。
【符号の説明】
２０……外郭曲練り側板（筐体本体）、２１……屋根後、２２……表示画面、２５……前部カバー、４０……譜面立て、４１……液晶表示装置、４１ａ、４１ｂ……スライド支持機構、４２……滑り止め部、４５……制御基板、５０……操作コントローラ部、５１……操作パネル、５２……制御回路、５３……データ処理部（映像信号処理手段）、９０……溝、９１……ケーブル、１２０……格納孔、１３０……表面部、２２１……鍵盤、２３１……棚板、２３３……筬、２３６……ハンマアクション機構
【図１】
0004686804.tif 000002
【図２】
0004686804.tif 000003
【図３】
0004686804.tif 000004
【図４】
0004686804.tif 000005
【図５】
0004686804.tif 000006
【図６】
0004686804.tif 000007
【図７】
0004686804.tif 000008
【図８】
0004686804.tif 000009
【図９】
0004686804.tif 000010
【図１０】
0004686804.tif 000011
【図１１】
0004686804.tif 000012
【図１２】
0004686804.tif 000013
【図１３】
0004686804.tif 000014
【図１４】
0004686804.tif 000015
【図１５】
0004686804.tif 000016
【図１６】
0004686804.tif 000017
【図１７】
0004686804.tif 000018
【図１８】
0004686804.tif 000019